(57)【要約】【課題】信頼性が高く、かつ、十分な長さにすることが可能な照明装置を提供する。【解決手段】この照明装置は、Ａ方向に延びる長尺状の板状部材３０と、板状部材３０上に固定された複数枚（３枚）の実装基板２０と、実装基板２０上に実装され、光源としての発光ダイオード素子１１を含む表面実装型ＬＥＤ１０と、Ａ方向に延びるように形成され、板状部材３０がスライド挿入される筒状の透光性カバー部材４０と、透光性カバー部材４０の端部に装着され、透光性カバー部材４０の内部を密閉するキャップ部材５０とを備えている。また、実装基板２０は、板状部材３０上に、Ａ方向に沿って列状に固定されている。そして、隣接する実装基板２０の半田ランド部２２同士がジャンパー線７０で電気的に接続されることにより、板状部材３０上に固定された複数枚（３枚）の実装基板２０が電気的に連結されている。【選択図】図３
2010177172.tif 000002
【特許請求の範囲】
【請求項１】
第１方向に延びる長尺状の第１基板と、
前記第１基板上に搭載された複数の第２基板と、
前記第２基板上に設けられ、光源としての発光素子を含む発光部と、
前記第１方向に延びるように形成され、前記第１基板がスライド挿入される筒状の透光性カバー部材と、
前記透光性カバー部材の端部に装着され、前記透光性カバー部材の内部を密閉するキャップ部材とを備え、
前記第２基板は、前記第１基板上に、前記第１方向に沿って列状に固定されており、
隣接する前記第２基板の発光部が互いに電気的に接続されていることを特徴とする、照明装置。
【請求項２】
前記第２基板上には、前記発光部と電気的に接続された配線層が形成されているとともに、複数の前記発光部が前記第１方向に沿って列状に配置されており、
隣接する前記第２基板の配線層同士が電気的に接続されることにより、前記複数の発光部が互いに電気的に接続されていることを特徴とする、請求項１に記載の照明装置。
【請求項３】
前記透光性カバー部材は、断面的に見て、略アーチ状の頂部と略平板状の底部とを有しており、
前記透光性カバー部材の底部には、前記第１方向と直交する第２方向への前記第１基板の位置ずれを規制する第１規制部が形成されており、
前記透光性カバー部材の頂部には、前記頂部方向への前記第１基板の位置ずれを規制する第２規制部が形成されていることを特徴とする、請求項１または２に記載の照明装置。
【請求項４】
前記第１規制部および前記第２規制部は、それぞれ、前記第１方向に延びるように、前記透光性カバー部材に一体に形成されていることを特徴とする、請求項３に記載の照明装置。
【請求項５】
前記第１規制部は、上方に突出するように形成されており、
前記第２規制部は、前記第１基板の斜め上方から前記第１基板側に突出するように形成されていることを特徴とする、請求項３または４に記載の照明装置。
【請求項６】
前記第１基板は、前記第２方向の幅が、前記第２基板の前記第２方向の幅よりも大きいことを特徴とする、請求項３〜５のいずれか１項に記載の照明装置。
【請求項７】
前記第２規制部の先端部は、断面的に見て、略弧状に形成されていることを特徴とする、請求項３〜６のいずれか１項に記載の照明装置。
【請求項８】
前記発光部は、表面実装型の発光装置からなることを特徴とする、請求項１〜７のいずれか１項に記載の照明装置。
【請求項９】
前記透光性カバー部材の内部には、不揮発性ガスが充填されていることを特徴とする、請求項１〜８のいずれか１項に記載の照明装置。
【請求項１０】
前記第１基板は、金属材料から構成されていることを特徴とする、請求項１〜９のいずれか１項に記載の照明装置。
【請求項１１】
前記透光性カバー部材は、樹脂製であることを特徴とする、請求項１〜１０のいずれか１項に記載の照明装置。
【請求項１２】
第１方向に延びる長尺状の基板と、
前記基板上に設けられ、光源としての発光素子を含む発光部と、
前記第１方向に延びるように形成され、前記基板がスライド挿入される筒状の透光性カバー部材と、
前記透光性カバー部材の端部に装着され、前記透光性カバー部材の内部を密閉するキャップ部材とを備え、
前記透光性カバー部材は、前記基板が配置される略平板状の底部を有し、
前記透光性カバー部材の底部には、前記第１方向と直交する第２方向への前記基板の位置ずれを規制する第１規制部が形成されており、
前記透光性カバー部材の前記底部と対向する頂部には、前記頂部方向への前記基板の位置ずれを規制する第２規制部が、前記基板の斜め上方から前記基板側に突出するように形成されていることを特徴とする、照明装置。
【発明の詳細な説明】
【技術分野】
【０００１】
本発明は、照明装置に関し、特に、発光素子を光源とするバー状の照明装置に関する。
【背景技術】
【０００２】
蛍光ランプ等に代わる新しい照明装置として、ＬＥＤ（発光ダイオード）などの発光素子を光源とする照明装置が注目されている。このような照明装置は、蛍光ランプ等に比べて、小型、低消費電力、長寿命という利点を有している。
【０００３】
また、上記照明装置の一例として、ＬＥＤを光源とするバー状の照明装置が知られている（たとえば、特許文献１および２参照）。
【０００４】
上記特許文献１には、長手方向にＬＥＤが点在配置され、各ＬＥＤの正面に、ＬＥＤからの光を長手方向に屈折拡大させるレンズが配置されたバー状の照明装置が記載されている。この照明装置では、上記ＬＥＤが、バー状のケース内に個別に設置されており、バー状のケースにおけるＬＥＤと対応する部分に、光を取り出すための照明孔が設けられている。そして、この照明孔に上記レンズが嵌挿されている。
【０００５】
また、上記特許文献２には、複数のＬＥＤが搭載された細長い板状基板が、透明の円筒体に収納され、円筒体の両端が防水パッキンで塞がれた照明装置が記載されている。この照明装置では、防水パッキンに板状基板の端部が差し込まれる差込溝が設けられており、差込溝に板状基板が差し込まれることにより、板状基板が一定方向に向けて固定される。
【０００６】
なお、バー状の照明装置は、スーパーマーケットやコンビニエンスストアなどに設置される冷蔵ショーケースまたは冷凍ショーケースの照明用途に適しており、上記特許文献１および２のいずれも、冷蔵ショーケースまたは冷凍ショーケースの照明装置として用いられる。
【先行技術文献】
【特許文献】
【０００７】
【特許文献１】特開２００６−９２９００号公報
【特許文献２】特開２００２−１４７９４５号公報
【発明の概要】
【発明が解決しようとする課題】
【０００８】
上記特許文献１の照明装置は、上記構成を有することによって、長尺のバー状照明装置を容易に得ることができる。このため、冷蔵ショーケースまたは冷凍ショーケースに設置する際に、陳列棚の幅が広い場合でも、照明装置の長さを陳列棚の幅に合わせた長さにすることができる。これにより、陳列棚全体を照明し易くすることができる。
【０００９】
しかしながら、上記特許文献１の照明装置では、冷蔵ショーケースまたは冷凍ショーケースに設置した場合に、ショーケース内の水分を含んだ空気が照明装置内に侵入するという不都合がある。このため、侵入した空気によって照明装置内部で結露が発生し、これにより、電気的な短絡などが生じる。その結果、照明装置が故障し易くなるので、信頼性が低下するという問題点がある。
【００１０】
これに対し、上記特許文献２の照明装置は、防水パッキンにより円筒体が密閉されているので、冷蔵ショーケースまたは冷凍ショーケースに設置した場合でも、ショーケース内の水分を含んだ空気が照明装置内に侵入するのを抑制することができる。
【００１１】
しかしながら、特許文献２では、照明装置の長さは、板状基板の長さによって決定されるので、照明装置の長さを一定以上の長さにすることが困難であるという不都合がある。ここで、板状基板上にＬＥＤを実装する場合、実装装置などを用いて実装するのが一般的であるが、実装装置で扱える基板長さには限度がある。このため、陳列棚の幅が広い場合に、その陳列棚の幅に合わせた長さとなるように照明装置を十分に長くすることが困難であるという問題点がある。
【００１２】
この発明は、上記のような課題を解決するためになされたものであり、この発明の目的は、信頼性が高く、かつ、十分な長さにすることが可能な照明装置を提供することである。
【課題を解決するための手段】
【００１３】
上記目的を達成するために、この発明の第１の局面による照明装置は、第１方向に延びる長尺状の第１基板と、第１基板上に搭載された複数の第２基板と、第２基板上に設けられ、光源としての発光素子を含む発光部と、第１方向に延びるように形成され、第１基板がスライド挿入される筒状の透光性カバー部材と、透光性カバー部材の端部に装着され、透光性カバー部材の内部を密閉するキャップ部材とを備えている。そして、第２基板は、第１基板上に、第１方向に沿って列状に固定されており、隣接する第２基板の発光部が互いに電気的に接続されている。
【００１４】
この第１の局面による照明装置では、上記のように、発光部が設けられた複数の第２基板を長尺状の第１基板上に列状に固定し、隣接する第２基板の発光部を互いに電気的に接続することによって、複数の第２基板を連結することができるので、照明装置の長さを十分に長くすることができる。なお、第２基板の連結数を増減することにより、照明装置の長さを所望の長さにすることができるので、冷蔵ショーケースまたは冷凍ショーケースなどに照明装置を設置する際に、陳列棚の幅が広い場合でも、照明装置の長さを陳列棚の幅に合わせた長さに容易にすることができる。また、第２基板は長尺状の第１基板上に固定されているので、筒状の透光性カバー部材にスライド挿入する際などに、第２基板の連結部分に負荷がかかるのを抑制することができる。これにより、発光部同士の電気的な接続が断絶されるのを抑制することができるので、信頼性が低下するのを抑制することができる。
【００１５】
また、第１の局面による照明装置では、透光性カバー部材の端部に内部を密閉するキャップ部材を装着することによって、冷蔵ショーケースまたは冷凍ショーケースなどに照明装置を設置した場合でも、ショーケース内の水分を含んだ空気が照明装置内に侵入するのを抑制することができる。これにより、内部で結露などが発生するのを抑制することができるので、信頼性の高い照明装置を得ることができる。また、水分を含んだ空気が照明装置内に侵入するのを抑制することによって、透光性カバー部材の内表面に、霜や曇りが発生するのを抑制することができる。これにより、光量低下などの特性低下が生じるのを抑制することもできる。
【００１６】
上記第１の局面による照明装置において、第２基板上には、発光部と電気的に接続された配線層が形成されているとともに、複数の発光部が第１方向に沿って列状に配置されており、隣接する第２基板の配線層同士が電気的に接続されることにより、複数の発光部が互いに電気的に接続されているのが好ましい。
【００１７】
上記第１の局面による照明装置において、好ましくは、透光性カバー部材は、断面的に見て、略アーチ状の頂部と略平板状の底部とを有しており、透光性カバー部材の底部には、第１方向と直交する第２方向への第１基板の位置ずれを規制する第１規制部が形成されており、透光性カバー部材の頂部には、頂部方向への第１基板の位置ずれを規制する第２規制部が形成されている。このように構成すれば、第２基板が搭載された第１基板を、位置ずれすることなく、透光性カバー部材内に容易にスライド挿入することができる。このため、複数の第２基板を連結することによって第１基板の長さが十分に長くなった場合でも、透光性カバー部材に第１基板および第２基板を容易に収納することができる。これにより、十分な長さを有する照明装置を容易に得ることができる。
【００１８】
この場合において、第１規制部および第２規制部は、それぞれ、第１方向に延びるように、透光性カバー部材に一体に形成することができる。
【００１９】
上記第１規制部および第２規制部を備えた構成において、好ましくは、第１規制部は、上方に突出するように形成されており、第２規制部は、第１基板の斜め上方から第１基板側に突出するように形成されている。このように構成すれば、第２規制部の斜面を、発光素子からの光を反射させる反射面として機能させることができる。これにより、照明ロスの発生を抑制することができるので、信頼性が高く、かつ、十分な長さにすることができることに加えて、照明装置の特性を向上させることもできる。
【００２０】
上記第１規制部および第２規制部を備えた構成において、好ましくは、第１基板は、第２方向の幅が、第２基板の第２方向の幅よりも大きい。このように構成すれば、第１基板の位置ずれを規制する規制部が、第２基板と接触するのを抑制することができるので、第１基板をスライド挿入する際などに、規制部が第２基板と接触することに起因して、第２基板に負荷がかかるという不都合が生じるのを抑制することができる。これにより、容易に、発光部同士の電気的な接続が断絶されるのを抑制することができるので、容易に、信頼性が低下するのを抑制することができる。
【００２１】
上記第１規制部および第２規制部を備えた構成において、第２規制部の先端部は、断面的に見て、略弧状に形成されているのが好ましい。このように構成することにより、第２規制部を第１基板と接触し易くすることができるので、頂部方向への第１基板の位置ずれを規制し易くすることができる。
【００２２】
上記第１の局面による照明装置において、好ましくは、発光部は、表面実装型の発光装置からなる。このように構成すれば、実装装置などを用いて、第２基板上に発光部を表面実装することができる。なお、第１の局面による照明装置では、上記のように、実装装置によって第２基板の長さが一定長さ以下に制限される場合でも、照明装置の長さを十分な長さにすることができる。
【００２３】
上記第１の局面による照明装置において、透光性カバー部材の内部に、不揮発性ガスが充填されていてもよい。このように、透光性カバー部材の内部に不揮発性ガスを充填することにより、結露などの発生を効果的に抑制することができる。
【００２４】
上記第１の局面による照明装置において、好ましくは、第１基板は、金属材料から構成されている。このように構成すれば、発光素子の発光によって生じた熱を放熱することができるので、発光素子の発光特性を向上させることができる。このため、これによっても、照明装置の特性を向上させることができる。
【００２５】
上記第１の局面による照明装置において、好ましくは、透光性カバー部材は、樹脂製である。このように構成すれば、ガラス製の透光性カバー部材を用いる場合に比べて、照明装置を軽量化することができる。なお、透光性カバー部材を樹脂によって作製することにより、第１基板の位置ずれを規制する規制部を容易に形成することができる。
【００２６】
この発明の第２の局面による照明装置は、第１方向に延びる長尺状の基板と、基板上に設けられ、光源としての発光素子を含む発光部と、第１方向に延びるように形成され、基板がスライド挿入される筒状の透光性カバー部材と、透光性カバー部材の端部に装着され、透光性カバー部材の内部を密閉するキャップ部材とを備えている。そして、透光性カバー部材は、基板が配置される略平板状の底部を有し、透光性カバー部材の底部には、第１方向と直交する第２方向への基板の位置ずれを規制する第１規制部が形成されており、透光性カバー部材の底部と対向する頂部には、頂部方向への基板の位置ずれを規制する第２規制部が、基板の斜め上方から基板側に突出するように形成されている。このように構成することによっても、信頼性が低下するのを抑制することができるとともに、照明装置の長さを十分に長くすることができる。
【発明の効果】
【００２７】
以上のように、本発明によれば、信頼性が高く、かつ、十分な長さにすることが可能な照明装置を容易に得ることができる。
【図面の簡単な説明】
【００２８】
【図１】本発明の一実施形態による照明装置の全体斜視図である。
【図２】本発明の一実施形態による照明装置の平面図である。
【図３】本発明の一実施形態による照明装置の一部を拡大して示した斜視図である。
【図４】本発明の一実施形態による照明装置の実装基板を示した平面図である。
【図５】実装基板を板状部材上に固定した状態を示した平面図である。
【図６】図５の一部を拡大して示した平面図である。
【図７】図５の一部を拡大して示した斜視図である。
【図８】図２の１００−１００線に沿った断面図である。
【図９】本発明の一実施形態による照明装置の表面実装型ＬＥＤを簡略して示した平面図である。
【図１０】本発明の一実施形態による照明装置において、一方端に装着されるキャップ部材の装着前の状態を示した平面図である。
【図１１】一方端に装着されるキャップ部材の正面図である。
【図１２】図１１の２００−２００線に沿った断面図である。
【図１３】複数の板状部材が連結された状態を示した平面図である。
【図１４】図１３の一部を拡大して示した平面図である。
【発明を実施するための形態】
【００２９】
以下、本発明を具体化した実施形態を図面に基づいて詳細に説明する。
【００３０】
図１は、本発明の一実施形態による照明装置の全体斜視図である。図２は、本発明の一実施形態による照明装置の平面図である。図３は、本発明の一実施形態による照明装置の一部を拡大して示した斜視図である。図４〜図１４は、本発明の一実施形態による照明装置を説明するための図である。図１〜図１４を参照して、本発明の一実施形態による照明装置について説明する。
【００３１】
一実施形態による照明装置は、図１および図２に示すように、Ａ方向（第１方向）に延びるバー状（棒状）に構成されており、約１２０８ｍｍの長さＬ１を有している。この照明装置の一方の端部からは、電源ハーネス１が引き出されている。
【００３２】
また、一実施形態による照明装置は、図３および図４に示すように、表面実装型ＬＥＤ１０（図３参照）が実装される実装基板２０と、実装基板２０が固定される長尺状の板状部材３０（図３および図５参照）と、板状部材３０がスライド挿入される筒状（トンネル状）の透光性カバー部材４０と、透光性カバー部材４０の両端に装着されるキャップ部材５０とを備えている。なお、表面実装型ＬＥＤ１０は、本発明の「発光部」および「発光装置」の一例である。また、実装基板２０は、本発明の「第２基板」および「基板」の一例であり、板状部材３０は、本発明の「第１基板」の一例である。
【００３３】
実装基板２０は、図４に示すように、平面的に見て、Ａ方向に延びる略矩形状（略長方形形状）に形成されている。具体的には、実装基板２０は、Ａ方向の長さＬ２が、約３９３ｍｍとなるように形成されており、Ａ方向と直交するＢ方向（第２方向）の幅Ｗ１が、約１３ｍｍとなるように形成されている。なお、実装基板２０は、約０．８ｍｍの厚みを有している。また、実装基板２０の所定部分には、板状部材３０に実装基板２０を固定するためのネジ８０（図５参照）が挿入される貫通孔２１が形成されている。
【００３４】
また、実装基板２０の上面上には、半田ランド部２２を含む配線層２３が形成されている。そして、配線層２３と電気的に接続されるように、複数（１２個）の表面実装型ＬＥＤ１０が実装基板２０の上面上に表面実装されている。この表面実装型ＬＥＤ１０は、Ａ方向に一列（列状）に等間隔（ピッチＰ）で配置されている。なお、両端の表面実装型ＬＥＤ１０は、実装基板２０の端部（端面）から距離Ｐ／２の位置に配置されている。
【００３５】
実装基板２０上の所定領域には、表面実装型ＬＥＤ１０に供給される電流を調整するための抵抗素子６０が実装されている。この抵抗素子６０は、チップ部品から構成されており、実装基板２０の上面上に表面実装されている。なお、実装基板２０上に実装された複数の表面実装型ＬＥＤ１０は、並列接続されている。また、上記半田ランド部２２は、実装基板２０の両端部に２つずつ形成されている。２つの半田ランド部２２の一方は、アノードであり、他方は、カソードである。このように、本実施形態の実装基板２０は、複数の実装基板２０を連結して連結駆動をさせることが可能な回路構成となっている。
【００３６】
板状部材３０は、約１ｍｍの厚みを有する金属板（たとえば、鉄板やアルミニウム板など）から構成されており、図５に示すように、Ａ方向に延びる長尺状（略長方形形状）に形成されている。具体的には、板状部材３０は、Ａ方向の長さＬ３が、約１２０２ｍｍとなるように形成されている。
【００３７】
ここで、本実施形態では、図６に示すように、板状部材３０は、Ｂ方向の幅Ｗ２が、実装基板２０の幅Ｗ１よりも大きくなるように形成されている。具体的には、板状部材３０の幅Ｗ２は、約１６ｍｍに形成されている。
【００３８】
また、本実施形態では、図５に示すように、板状部材３０の上面上の略中央部に、３枚の実装基板２０がＡ方向に沿って列状に固定されている。すなわち、３枚の実装基板２０が、その長手方向が板状部材３０の長手方向と一致するように、Ａ方向に沿って固定されている。これにより、隣接する実装基板２０の半田ランド部２２が近接した状態となっている。なお、板状部材３０の所定部分には、内側面にネジ溝（図示せず）が切られたネジ孔３１（図１３および図１４参照）が形成されており、上記実装基板２０が、ネジ８０によって板状部材３０上に固定されている。
【００３９】
また、図５〜図７に示すように、互いに隣接する実装基板２０は、ジャンパー線７０によって、互いに電気的に接続されている。具体的には、金属板を折り曲げることによって形成された架橋状のジャンパー線７０が、実装基板２０の半田ランド部２２に半田接続されることにより、隣接する実装基板２０の配線層２３（半田ランド部２２）同士が互いに電気的に接続されている。これにより、各実装基板２０上に実装されている表面実装型ＬＥＤ１０が互いに電気的に接続され、長尺状の光源が構成されている。なお、図６に示すように、実装基板２０の端部の表面実装型ＬＥＤ１０と、隣接する実装基板２０の端部の表面実装型ＬＥＤ１０との距離は、距離Ｐとなるので、複数の実装基板２０が互いに連結された場合でも、表面実装型ＬＥＤ１０は、全て等間隔に配置された状態となっている。
【００４０】
透光性カバー部材４０は、図２に示すように、Ａ方向に延びる長尺状に形成されている。この透光性カバー部材４０は、Ａ方向の長さＬ４が、約１２０４ｍｍとなるように形成されている。また、図８に示すように、透光性カバー部材４０の幅Ｗ３は、約２７．５ｍｍとなるように形成されているとともに、高さＨが、約１１．５ｍｍとなるように形成されている。
【００４１】
また、透光性カバー部材４０は、たとえば、アクリル樹脂から構成されており、押出成形などによって、約１ｍｍの肉厚ｔを有する筒状（トンネル状）に形成されている。
【００４２】
ここで、本実施形態では、上記透光性カバー部材４０は、断面的に見て、略アーチ状の頂部４１と、略平板状の底部４２とを有している。略アーチ状の頂部４１の弧状部分は、曲率半径Ｒが約１３ｍｍとなっている。また、底部４２の両脇部分は、所定の角度θ１（たとえば、約１０°〜約２０°）で上方に折り曲げられている。これにより、照明角度を変えやすくなっている。また、底部４２の中央部分は、板状部材３０（長尺状の光源）が載置される載置部４２ａとなっている。この載置部４２ａの幅Ｗ４は、約１９ｍｍに構成されている。
【００４３】
また、本実施形態では、透光性カバー部材４０の底部４２に、上方に突出する一対の第１凸部４３が形成されている。この一対の第１凸部４３は、互いに所定の間隔を隔てて配置されており、一対の第１凸部４３の間に、板状部材３０がスライド挿入される。これにより、板状部材３０（長尺状の光源）が透光性カバー部材４０にスライド挿入された時に、板状部材３０のＢ方向への位置ずれが規制される。また、透光性カバー部材４０の頂部４１には、板状部材３０の斜め上方から板状部材３０側に突出する一対の第２凸部４４が形成されている。この第２凸部４４は、板状部材３０の上面に対して、所定の角度θ２（たとえば、約４５°）で板状部材３０側に突出している。そして、第２凸部４４の先端部４４ａが、実装基板２０の外側で、板状部材３０の上面と接触するように形成されている。これにより、板状部材３０（長尺状の光源）が透光性カバー部材４０にスライド挿入された時に、板状部材３０の上方への位置ずれが規制される。なお、第１凸部４３および第２凸部４４は、それぞれ、本発明の「第１規制部」および「第２規制部」の一例である。
【００４４】
さらに、本実施形態では、第２凸部４４の先端部４４ａが、断面的に見て、略弧状に形成されている。すなわち、第２凸部４４は、その先端部４４ａが丸められている。また、第１凸部４３および第２凸部４４は、押出成形などによって透光性カバー部材４０の内表面に一体的に形成されているとともに、透光性カバー部材４０の長手方向（Ａ方向；図１および図２参照）に沿って平行に延びるように形成されている。
【００４５】
また、図８および図９に示すように、上述した表面実装型ＬＥＤ１０には、光源としての発光ダイオード（ＬＥＤ；Ｌｉｇｈｔ  Ｅｍｉｔｔｉｎｇ  Ｄｉｏｄｅ）素子１１が搭載されており、この発光ダイオード素子１１を囲むように反射枠１２が取り付けられている。そして、反射枠１２の内側に、発光ダイオード素子１１を封止する封止樹脂１３（図９参照）が充填されている。この発光ダイオード素子１１は、青色光を出射する発光ダイオード素子からなり、上記封止樹脂１３には、青色光を波長変換する蛍光体（図示せず）が含有されている。これにより、上記表面実装型ＬＥＤ１０は、白色光が出射されるように構成されている。なお、発光ダイオード素子１１は、本発明の「発光素子」の一例である。
【００４６】
キャップ部材５０は、たとえば、ゴム製であり、図１０に示すように、透光性カバー部材４０の両端に装着されて、透光性カバー部材４０の内部を密閉（気密封止）する。また、図１０〜図１２に示すように、透光性カバー部材４０の一方端に装着されるキャップ部材５０には、電源ハーネス１が挿通される２つの挿通孔５１（図１１参照）が形成されている。この挿通孔５１の一方には、電源ハーネス１のアノード側の導線が挿通され、他方には、電源ハーネス１のカソード側の導線が挿通される。これにより、１つの孔に２本の導線を挿通する場合に比べて、透光性カバー部材４０内の気密性を保ち易くすることができる。なお、透光性カバー部材４０内には、たとえば、窒素やアルゴンなどの不揮発性ガスが充填されている。
【００４７】
また、電源ハーネス１が挿通されるキャップ部材５０には、電源ハーネス１を逃がすための切欠部５２が形成されている。これにより、照明装置の端面を壁面２５０などに接触させて固定することが可能となるので、照明装置の取付自由度を向上させることもできる。
【００４８】
なお、実装基板２０が固定される前の板状部材３０は、図１３および図１４に示すように、複数本（たとえば、５本）が連結された状態となっているのが好ましい。このように構成すれば、実装基板２０を板状部材３０上にまとめて固定することができる。そして、その後、連結部３２を、たとえば、ニッパーなどで切断することにより、板状部材３０を個別に分離することによって、板状部材３０上に実装基板２０を固定する作業の作業性を大幅に向上させることが可能となる。また、連結部３２の近傍には、ニッパーなどの刃先が挿入される隙間部３３が形成されている。このように連結された板状部材３０は、たとえば、プレス加工やレーザ加工などによって形成することができる。
【００４９】
上記のように構成された一実施形態による照明装置は、外部の定電圧源（図示せず）から、電源ハーネス１を介して、実装基板２０に定電圧が供給される。そして、実装基板２０上に実装された抵抗素子６０によって電流値が調整され、表面実装型ＬＥＤ１０が定電流駆動される。また、表面実装型ＬＥＤ１０から出射された光の一部は、第２凸部４４の斜面４４ｂ（図８参照）で反射される。
【００５０】
また、一実施形態による照明装置は、たとえば、スーパーマーケットやコンビニエンスストアなどに設置される冷蔵ショーケースまたは冷凍ショーケースなどの照明装置として好適に用いられる。
【００５１】
本実施形態では、上記のように、表面実装型ＬＥＤ１０が実装された複数の実装基板２０を、長尺状の板状部材３０上に列状に固定し、隣接する実装基板２０の表面実装型ＬＥＤ１０を互いに電気的に接続することによって、複数の実装基板２０を連結することができるので、連結された実装基板２０を透光性カバー部材４０にスライド挿入することにより、照明装置の長さを十分に長くすることができる。これにより、冷蔵ショーケースまたは冷凍ショーケースなどに照明装置を設置する際に、陳列棚の幅が広い場合でも、照明装置の長さを陳列棚の幅に合わせた長さに容易にすることができる。また、実装基板２０は長尺状の板状部材３０上に固定されているので、筒状の透光性カバー部材４０にスライド挿入する際などに、実装基板２０の連結部分（ジャンパー線７０の半田接合部分）に負荷がかかるのを抑制することができる。これにより、表面実装型ＬＥＤ１０同士の電気的な接続が断絶されるのを抑制することができるので、信頼性が低下するのを抑制することができる。
【００５２】
また、本実施形態では、透光性カバー部材４０の両端に内部を密閉するキャップ部材５０を装着することによって、冷蔵ショーケースまたは冷凍ショーケースなどに照明装置を設置した場合でも、ショーケース内の水分を含んだ空気が照明装置内に侵入するのを抑制することができる。これにより、内部で結露などが発生するのを抑制することができるので、マイグレーションや回路の短絡などが生じるのを抑制することができる。その結果、信頼性の高い照明装置を得ることができる。また、水分を含んだ空気が照明装置内に侵入するのを抑制することによって、透光性カバー部材４０の内表面に、霜や曇りが発生するのを抑制することができる。これにより、光量低下などの特性低下が生じるのを抑制することもできる。
【００５３】
また、本実施形態では、透光性カバー部材４０の底部４２に、Ｂ方向への板状部材３０の位置ずれを規制する第１凸部４３を形成するとともに、透光性カバー部材４０の頂部４１に、上方への板状部材３０（長尺状の光源）の位置ずれを規制する第２凸部４４を形成することによって、実装基板２０が搭載された板状部材３０（長尺状の光源）を、位置ずれすることなく、透光性カバー部材４０内に容易にスライド挿入することができる。このため、複数の実装基板２０を連結することによって板状部材３０の長さが十分に長くなった場合でも、透光性カバー部材４０に板状部材３０（長尺状の光源）を容易に収納することができる。これにより、十分な長さを有する照明装置を容易に得ることができる。
【００５４】
なお、本実施形態では、隣接する実装基板２０を電気的に接続するジャンパー線７０を、架橋状に形成することによって、板状部材３０の長さが十分に長くなり、スライド挿入時に板状部材３０が撓った場合でも、ジャンパー線７０が撓むことによってジャンパー線７０の半田接合部分への負荷を緩和することができる。このため、これによっても、表面実装型ＬＥＤ１０同士の電気的な接続が断絶されるのを抑制することができる。
【００５５】
また、本実施形態では、第２凸部４４を、板状部材３０の斜め上方から板状部材３０側に突出するように形成することによって、第２凸部４４の斜面４４ｂを、表面実装型ＬＥＤ１０（発光ダイオード素子１１）からの光を反射させる反射面として機能させることができる。これにより、照明ロスの発生を抑制することができるので、信頼性が高く、かつ、十分な長さにすることができることに加えて、照明装置の特性を向上させることもできる。
【００５６】
また、本実施形態では、板状部材３０のＢ方向の幅Ｗ２を、実装基板２０のＢ方向の幅Ｗ１よりも大きくすることによって、板状部材３０の位置ずれを規制する凸部（第１凸部４３および第２凸部４４）が、実装基板２０と接触するのを抑制することができる。このため、板状部材３０をスライド挿入する際などに、凸部（第１凸部４３および第２凸部４４）が実装基板２０と接触することに起因して、実装基板２０に負荷がかかるという不都合が生じるのを抑制することができる。これにより、容易に、表面実装型ＬＥＤ１０同士の電気的な接続が断絶されるのを抑制することができるので、容易に、信頼性が低下するのを抑制することができる。
【００５７】
また、本実施形態では、第２凸部４４の先端部４４ａを、断面的に見て、略弧状に形成することによって、第２凸部４４を板状部材３０と接触し易くすることができるので、上方への板状部材３０（長尺状の光源）の位置ずれを規制し易くすることができる。
【００５８】
また、本実施形態では、透光性カバー部材４０の内部に、不揮発性ガスを充填することによって、結露などの発生を効果的に抑制することができる。
【００５９】
また、本実施形態では、板状部材３０を、金属材料から構成することによって、発光ダイオード素子１１の発光によって生じた熱を放熱することができるので、発光ダイオード素子１１の発光特性を向上させることができる。このため、これによっても、照明装置の特性を向上させることができる。
【００６０】
また、本実施形態では、透光性カバー部材４０を、樹脂から作製することによって、ガラス製の透光性カバー部材を用いる場合に比べて、照明装置を軽量化することができる。なお、透光性カバー部材４０を樹脂によって作製することにより、板状部材３０の位置ずれを規制する凸部（第１凸部４３および第２凸部４４）を容易に形成することができる。
【００６１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６２】
たとえば、上記実施形態では、本発明の照明装置を、冷蔵ショーケースまたは冷凍ショーケースなどの照明装置に適用した例を示したが、本発明はこれに限らず、本発明の照明装置を、家庭用の冷蔵庫や冷凍庫などに適用してもよいし、冷蔵庫や冷凍庫以外の機器の照明装置に適用してもよい。
【００６３】
また、上記実施形態では、複数の表面実装型ＬＥＤを一列に配置した例を示したが、本発明はこれに限らず、複数の表面実装型ＬＥＤを複数列に配置してもよい。この場合、表面実装型ＬＥＤを千鳥状に配置してもよい。
【００６４】
また、上記実施形態では、複数の表面実装型ＬＥＤを等間隔に配置した例を示したが、本発明はこれに限らず、表面実装型ＬＥＤの間隔は等間隔でなくてもよい。
【００６５】
また、上記実施形態では、実装基板上に表面実装型ＬＥＤを実装した例を示したが、本発明はこれに限らず、表面実装型ＬＥＤ以外のタイプのＬＥＤを実装基板上に実装してもよい。
【００６６】
また、上記実施形態では、１枚の実装基板上に１２個の表面実装型ＬＥＤを実装した例を示したが、本発明はこれに限らず、実装基板上に実装される表面実装型ＬＥＤの数は種々変更することができる。
【００６７】
また、上記実施形態では、照明装置の光源として発光ダイオード素子を用いた例を示したが、本発明はこれに限らず、発光ダイオード素子以外の発光素子を光源として用いてもよい。
【００６８】
また、上記実施形態では、板状部材上に３枚の実装基板を固定した例について説明したが、本発明はこれに限らず、板状部材上に４枚または４枚以上の実装基板を固定してもよいし、２枚の実装基板を固定してもよい。
【００６９】
また、上記実施形態では、実装基板を板状部材上にネジで固定した例を示したが、本発明はこれに限らず、ネジ固定以外の方法で、実装基板を板状部材上に固定してもよい。たとえば、接着剤などで、実装基板を板状部材上に固定してもよい。
【００７０】
なお、上記実施形態において、照明装置（実装基板、板状部材、透光性カバー部材など）の各寸法および角度は、適宜変更することができる。また、実装基板の固定枚数や実装基板の長さを変えることによって、照明装置の長さを所望の長さにすることができる。
【００７１】
また、上記実施形態では、アクリル樹脂からなる透光性カバー部材を用いた例を示したが、本発明はこれに限らず、アクリル樹脂以外の樹脂からなる透光性カバー部材を用いてもよい。なお、透光性カバー部材は、透明であってもよいし、乳白色であってもよい。透光性カバー部材を乳白色にした場合には、内部が透けて見えるのを抑制することができるので、ショーケースなどに設置した場合に意匠性を向上させることができる。また、透光性カバー部材を乳白色にすることによって、表面実装型ＬＥＤからの光が透光性カバー部材で散乱されるので、均一な照明が可能となる。
【００７２】
また、上記実施形態では、透光性カバー部材の内部に不揮発性ガスを充填させた例を示したが、本発明はこれに限らず、不揮発性ガスが充填されていない構成にしてもよい。
【００７３】
また、上記実施形態では、板状部材を金属板から構成した例を示したが、本発明はこれに限らず、板状部材を金属板以外の板材から構成してもよい。たとえば、板状部材を樹脂板から構成してもよい。このように構成した場合には、板状部材を金属板から構成した場合に比べて、照明装置の軽量化を図ることができる。
【００７４】
また、上記実施形態では、透光性カバー部材の両端にキャップ部材を装着した例を示したが、本発明はこれに限らず、透光性カバー部材の一端が塞がれていれば、キャップ部材は他端にのみ装着するようにしてもよい。
【００７５】
また、上記実施形態では、金属板を架橋状に折り曲げたジャンパー線を用いて、隣接する実装基板同士を互いに電気的に接続した例を示したが、本発明はこれに限らず、上記以外のジャンパー線を用いて、隣接する実装基板同士を互いに電気的に接続してもよい。
【００７６】
また、上記実施形態では、表面実装型ＬＥＤを、出射光が白色光となるように構成した例を示したが、本発明はこれに限らず、表面実装型ＬＥＤを、白色光以外の出射光を出射可能に構成してもよい。たとえば、表面実装型ＬＥＤからの出射光は、赤色光であってもよいし、その他の色の出射光であってもよい。
【００７７】
また、上記実施形態では、実装基板が固定される板状部材を備えた構成について説明したが、本発明はこれに限らず、板状部材を備えない構成であってもよい。すなわち、実装基板を板状部材に固定せずに、直接、透光性カバー部材にスライド挿入するようにしてもよい。
【符号の説明】
【００７８】
１０                          表面実装型ＬＥＤ（発光部、発光装置）
１１                          発光ダイオード素子（発光素子）
１２                          反射枠
１３                          封止樹脂
２０                          実装基板（第２基板、基板）
２１                          貫通孔
２２                          半田ランド部
２３                          配線層
３０                          板状部材（第１基板）
３１                          ネジ孔
３２                          連結部
３３                          隙間部
４０                          透光性カバー部材
４１                          頂部
４２                          底部
４２ａ                        載置部
４３                          第１凸部（第１規制部）
４４                          第２凸部（第２規制部）
４４ａ                        先端部
４４ｂ                        斜面
５０                          キャップ部材
５１                          挿通孔
５２                          切欠部
６０                          抵抗素子
７０                          ジャンパー線
【図１】
2010177172.tif 000003
【図２】
2010177172.tif 000004
【図３】
2010177172.tif 000005
【図４】
2010177172.tif 000006
【図５】
2010177172.tif 000007
【図６】
2010177172.tif 000008
【図７】
2010177172.tif 000009
【図８】
2010177172.tif 000010
【図９】
2010177172.tif 000011
【図１０】
2010177172.tif 000012
【図１１】
2010177172.tif 000013
【図１２】
2010177172.tif 000014
【図１３】
2010177172.tif 000015
【図１４】
2010177172.tif 000016